(57)【要約】【課題】  携帯移動性に優れ、且つ、不使用時にはコンパクトに折畳める電気スタンドを提供すること。【解決手段】  前記電気スタンド１は机等に置かれる台部２と、この台部２の一端２０から略９０度に起立されるスタンド部３（図１のＡ参照）と、このスタンド部３の一端３０から前記台部２に略平行に展開可能なライト部４（図１のＢ参照）を備える。そして、そのライト部４に設けられた光源部４０（後述）から放射される光による照射空間５が形成されるように、略コの字状に展開されるようになっている。また、前記電気スタンド１は、図１に示したように、前記台部２がスタンド部３側に折畳まれ（図１のＡ参照）、前記ライト部４は、折畳まれた台部２の厚さを逃げるスタンド部３の一端３０から台部２側に折畳まれる。【選択図】図１
2014235888.tif 000002
【特許請求の範囲】
【請求項１】
台部と、この台部の一端から起立されるスタンド部と、このスタンド部の一端から前記台部に略平行に展開されるライト部を備え、略コの字状に展開可能な電気スタンドであり、且つ、前記台部はスタンド部側に折畳まれ、前記ライト部は、前記台部の厚さを逃げるスタンド部の一端から、折畳まれた台部側に折畳可能なことを特徴とする電気スタンド。
【請求項２】
前記スタンド部は、本体と延在部によりＬ字状に形成されると共に、前記延在部は前記ライト部と略同一の厚み（薄さ）であることを特徴とする請求項１に記載の電気スタンド。
【請求項３】
前記ライト部の光源部は、基板にＬＥＤベアチップを実装した面発光体からなることを特徴とする請求項１又は２に記載の電気スタンド。
【請求項４】
電気スタンドの折畳まれた状態は、略箱状であることを特徴とする請求項１乃至３の何れかに記載の電気スタンド。
【請求項５】
折畳まれた状態では、前記ライト部の光源部が前記台部に対向することを特徴とする請求項１乃至４の何れかに記載の電気スタンド。
【請求項６】
折畳まれた状態の前記ライト部の光源部と前記台部間には、隙間が形成されることを特徴とする請求項５に記載の電気スタンド。
【請求項７】
折畳まれた状態のライト部とスタンド部の内側にスイッチ等の電気装置を取り付けた台部が収納されることを特徴とする請求項１乃至６の何れかに記載の電気スタンド。
【発明の詳細な説明】
【技術分野】
【０００１】
本願発明は、発光ダイオードを光源として用いた電気スタンドに関する。
【背景技術】
【０００２】
電気スタンドの光源としては、従来より白熱電球、蛍光ランプが普及しているが、現在では光源に発光ダイオードを用いた電気スタンドの開発・販売が盛んである。
例えば特許文献１では、小形・省電力で使い勝手の良い電気スタンドを得ることを課題として、スタンド頭部１０に多数の発光ダイオード１４を配置し、スタンドベース２０に前記各発光ダイオード１４へ給電する蓄電池２８を内蔵すると共に、前記スタンドベース２０に前記蓄電池２８を充電する充電器２９を内蔵する電気スタンドが開示されている。
【先行技術文献】
【特許文献】
【０００３】
【特許文献１】特開２００４−１６５１１５号公報
【発明の概要】
【発明が解決しようとする課題】
【０００４】
同文献の段落０００６の「発明の効果」においては、「上記のように本発明による電気スタンドは・・・充電式にしたことによって持ち運びが容易となり使い勝手の良い電気スタンドが得られる・・・」旨の記載がある。
【０００５】
しかし、この電気スタンドでは、スタンドベース２０を重くしていること、電気スタンドの形態自体を変化させて、コンパクトにする構成の示唆はなく、持ち運びの容易性については、限界がある。
【０００６】
昨今の節電事情から、部屋全体の照度を落とした中での補助照明が要望されており、例えば、ノートパソコンを移動させる場合や、読書灯とする場合に、補助照明としての電気スタンドの持ち運び易さが求められる。
また、電気スタンドとして使用しない時に場所を取らない事が望ましい。
【０００７】
そこで、本願発明では、携帯移動性に優れ、且つ、不使用時にはコンパクトに折畳める電気スタンドを提供せんとする。
これらの課題を解決するためには、次のような具体的な課題も解決されることが望ましい。
通常の電気スタンドとして使用される場合の使い勝手の良さ、折畳手順の容易性、折畳状態からの展開手順の容易性等の使い勝手の良さ、携帯移動性を図る場合の光源、電気装置及び配線の保護等である。
本願発明は、これらの課題を解決することができる電気スタンドの提供することを目的とする。
【課題を解決するための手段】
【０００８】
上記課題を解決するため、台部と、この台部の一端から起立されるスタンド部と、このスタンド部の一端から前記台部に略平行に展開されるライト部を備え、略コの字状に展開可能な電気スタンドであり、且つ、前記台部はスタンド部側に折畳まれ、前記ライト部は、前記台部の厚さを逃げるスタンド部の一端から、折畳まれた台部側に折畳可能なことを特徴とする電気スタンドとした（請求項１の発明）。
【０００９】
本願発明によれば、略コの字状に展開可能な電気スタンドであるから、台部、スタンド部及びライト部により略コの字に区画された領域に、前記ライト部からの光の照射により、シンプルな照射空間が形成される。
また、折畳めることで、携帯移動性に優れた電気スタンドとなっており、且つ、不使用時にはその収容スペースを節約することができる。
【００１０】
上記発明において、前記スタンド部は、本体と延在部によりＬ字状に形成されると共に、延在部は前記ライト部と略同一の厚み（薄さ）であることを特徴とする電気スタンドとした（請求項２の発明）。
【００１１】
本願発明によれば、延在部とライト部間には、段差が形成されることはないので、スタンド部、その延在部及びライト部とで、凹凸を生じさせることがない、綺麗な、均一な照射空間が形成されると共に、意匠的な統一が図られている。
【００１２】
上記発明において、前記ライト部の光源部は、基板にＬＥＤベアチップを実装した面発光体からなることを特徴とする電気スタンドとした（請求項３の発明）。
【００１３】
本願発明によれば、光源部及びライト部を薄く構成することができる。
【００１４】
上記発明において、電気スタンドの折畳まれた状態は略箱状であることを特徴とする電気スタンドとした（請求項４の発明）。
【００１５】
本願発明によれば、電気スタンドの容積を最小限にすることができ、電気スタンドとして使用しない場合には、その収容場所が取られることはなく、また、持運びのコンパクト性が図られていることにより、携帯移動性に優れている。
【００１６】
上記発明において、折畳まれた状態では、前記ライト部の光源部が前記台部に対向することを特徴とする電気スタンドとした（請求項５の発明）。
【００１７】
本願発明によれば、前記台部が前記ライト部の光源部のカバーとなるので、折畳まれた状態の電気スタンドに外力が作用した場合でも、前記ライト部の光源部が保護され、携帯移動性に優れている。
【００１８】
上記発明において、折畳まれた状態の前記ライト部の光源部と前記台部間には、隙間が形成されることを特徴とする電気スタンドとした（請求項６の発明）。
【００１９】
本願発明によれば、前記隙間の存在により、ライト部の光源部に対しては、前記台部からの押圧力が作用されることはなく、前記光源部が保護され、携帯移動性に優れている。
【００２０】
上記発明において、折畳まれた状態のライト部とスタンド部の内側にスイッチ等の電気装置を取り付けた台部が収納されることを特徴とする電気スタンドとした（請求項７の発明）。
【００２１】
本願発明によれば、前記台部がライト部とスタンド部でサンドイッチされることとなるので、台部内の電気装置が保護され、携帯移動性に優れている。
【発明の効果】
【００２２】
本願発明によれば、電気スタンドとしての使い勝手がよく、携帯移動性に優れ、且つ、不使用時にはコンパクトに折畳める電気スタンドを提供することができる。
【図面の簡単な説明】
【００２３】
【図１】本願発明に係る電気スタンドの展開状態の斜視図、
【図２】同電気スタンドの折畳状態の斜視図、
【図３】同電気スタンドの展開状態の正面図、
【図４】同電気スタンドの折畳状態の正面図、
【図５】図３に示したＡ−Ａ線矢視断面図、
【図６】図３に示したＢ−Ｂ線矢視断面図である。
【発明を実施するための形態】
【００２４】
本発明に係る電気スタンドの構成例について、図面を参照しつつ説明する。
図１に示したように、前記電気スタンド１は机等に置かれる台部２と、この台部２の一端２０から略９０度に起立される（図１のＡ参照）スタンド部３と、このスタンド部３の一端３０から前記台部２に略平行に展開可能（図１のＢ参照）なライト部４を備える。そして、そのライト部４に設けられた光源部４０（後述）から放射される光による照射空間５が形成されるように、本実施形態ではコの字状に展開されるようになっている。
【００２５】
また、前記電気スタンド１は、図１に示したように、前記台部２がスタンド部３側に折畳まれ（図１のＡ参照）、前記ライト部４は、折畳まれた台部２の厚さを逃げるスタンド部３の一端３０から台部２側に折畳まれる（図１のＢ参照）。そして、前記電気スタンド１の折畳まれた姿は、図２のように、略箱状になっている。
【００２６】
よって、本願発明の電気スタンド１は、図３のように、その展開状態時において、ライト部４からの光の放射によりコの字に囲まれた、シンプルな照射空間５が形成される。
この照射空間５は、ノート型パソコンを使用する場合に、そのディスプレイのサイズにマッチしたものとなっている。
例えば、ノート型パソコンのディスプレイを前記照射空間５に嵌め込むようにして使用してもよいし、ノート型パソコンの側面に台部２を配置してもよい。
【００２７】
また、略箱状に折畳まれる電気スタンド１は、その容積を最小限にすることができ、不使用時にはコンパクトに折畳める電気スタンドを提供することができ、収容場所を取られることはない。また、持運びのコンパクト性が図られていることにより、携帯移動性に優れている。
【００２８】
さらに、本願発明の電気スタンド１は、コの字状に展開される状態から、スタンド部３に向けて台部２及びライト部４を順次折畳む折畳手順は容易である。逆に折畳状態からライト部４及び台部２を順次展開させる展開手順も容易である。よって、折畳手順の容易性、展開手順の容易性等により、使い勝手の良い電気スタンド１となっている。
【００２９】
前記台部２は、図１及び図３のように、長方形の上下側面２１、２２と、アレイ形の左右側面２３、２４と、端部２５、２６から略四角柱状に、且つ、薄板状に形成されている。
上側面２１には前記光源部４０のオン、オフを制御するスイッチ６が配置され、左側面２３にはパソコン等から電力、信号を取り込むことができるＵＳＢ端子７が配置されている。前記光源部４０に電力を供給する手段としては、ＡＣアダプターを用いてもよいし、台部２に蓄電池等を配置するようにしてもよい。
なお、パソコン等に接続される前記ＵＳＢ端子７を介して、そのデータの読込、書込等の動作が制御されるメモリ手段、例えばメモリーカード等を配置できるようにしてもよい。
【００３０】
前記台部２の端部２６は、台形の柱状に形成され、その傾斜面２７には、前記スタンド部３とのピン接合のための軸部２８が設けられている。
【００３１】
なお、前記スイッチ６の配置は上側面２１に限定されるものではなく、左右側面２３，２４、端部２５でもよいし、またＵＳＢ端子７の位置は左側面２３に限定されるものではなく、右側面２４、端部２５に配置してもよい。
【００３２】
前記スタンド部３は、図１及び図３のように、薄板状の略四角柱状の本体３０Ａと、その本体３０Ａの一端から略９０度に延在する延在部３０Ｂから形成され、その全体としてＬ字状に構成されている。
【００３３】
前記本体３０Ａは、図１、図３及び図４に図示したように、前記台部２の上下側面２１、２２と略同サイズの外側面３１、内側面３２と、前記台部２の左右側面２３、２４よりも薄い左右側面３３、３４を備えている。
【００３４】
前記本体３０Ａの内側面３２には、図１のように前記台部２の傾斜面２７から取りだされる配線の配線溝３９が形成されている。その配線溝３９にはカバーが取り付けられており、後述の配線溝においても同様である。
前記本体３０Ａの端部３５は、前記台部２の端部２６に対向しており、図１及び図３のように三角柱状に形成され、その傾斜面３７には、前記台部２とのピン接合のための軸部３８が設けられ、前記台部２の軸部２８と共に、ヒンジを構成している。そして、スタンド部３を略９０度に起立させた場合に、前記傾斜面３７と前記台形２の傾斜面２７とが当接され、その状態を維持できるようになっている。
なお、スタンド部３は、台部２に対して、９０度以内の任意の角度で停止させることができる。
【００３５】
前記延在部３０Ｂは、図２及び図４に図示しているように、折畳まれた台部２側にライト部４を折畳む場合に、台部２の厚さを逃がすもので、その延在部３０Ｂの高さは台部２の厚さに略等しく形成されている。
前記延在部３０Ｂには、図５のように前記本体３０Ａの配線溝３９に連続する配線溝３９Ａが設けられている。
前記延在部３０Ｂ自体の厚み（薄さ）は、本体部３０Ａと同一のサイズであり、またライト部４の厚みに略等しく形成されている。
よって、延在部３０Ｂとライト部４間には、段差が形成されることはなく、スタンド部３とライト部４とで、凹凸等による影のない、均一な綺麗な照射空間５が形成され、また意匠的な統一が図られている。
【００３６】
前記延在部３０Ｂの前記ライト部４に対向する端部３６には、前記ライト部４とのピン接合のための軸部３８Ｂが設けられている。
かかるヒンジ構造により、ライト部４は、台部２に略平行に展開可能にされ、且つ、その状態を維持できるようにされていると共に、ライト部４は、前記延在部３０Ｂに対して上下方向に回動可能に構成されている。
【００３７】
前記ライト部４は、図１、図３及び図４に図示したように、前記スタンド部３の本体３０Ａの外側面３１、内側面３２と略同サイズの上下側面４１、４２と、前記本体３０Ａの左右側面３３，３４と略同サイズの左右側面４３、４４を備えている。
前記ライト部４の下側面４２には、図５のように、前記延在部３０Ｂの配線溝３９Ａに連続する配線溝４７が設けられ、前記光源部４０まで配線されている。
なお、配線溝４７には、前記配線溝３９と同様に、カバーが取り付けられている。
【００３８】
前記光源部４０は、図５及び図６のように、ライト部４の形材ケーシングに発光ダイオード（ＬＥＤ）のベアチップを直接基板に実装した面発光体４５を収納することで構成されている。その結果、光源部４０の薄さと剛性を両立させたものとなっており、面発光体４５は、基板の配線パターンに、ＬＥＤのベアチップを接続し、そのベアチップの上からレンズ状のコーティング層を形成したものが使用されている。
かかるレンズ状のコーティング層は、図６のように、レンズ形状になっており、ライト部の点灯時にはレンズ状のコーティング層により光が拡散されるようになっている。
【００３９】
上述のように、前記台部２の下側面２２と、前記ライト部４の下側面４２は、略同一のサイズであり、前記台部２の下側面２２に前記ライト部４の下側面４２が折畳まれることで、台部２がライト部４の光源部４０に対するカバーとなっている。よって携帯移動中においても、光源部４０に直接的な外力が加えられることがなく、その光源部４０の基板、配線パターン、ベアチップ或いはコーティング層が毀損されることを防ぐことができる。
【００４０】
また、ライト部４、スタンド部３及び台部２は、略同一のサイズであり、ライト部４、スタンド部３の内側にスイッチ等の電気装置を取り付けた台部２が収納されるので、外部の衝撃から電気装置を保護することができる。
また、ライト部４、スタンド部３及び台部２は、略同一のサイズであり、折畳まれた状態が略箱状となっていて、携帯移動中に台部２、スタンド部３及びライト部４の各部に捻じれが生じ難く、携帯に適した構造となっている。
さらに各配線溝３９等により、携帯移動中でも配線は保護される。
【００４１】
図６のように、前記ライト部４の下側面４２と光源部４０の面発光体４５間には隙間ｇが存在している。
よって、折畳状態において、台部２の下側面２２とライト部４の下側面４２は当接するものの、台部２の下側面２２とライト部４の光源部４０間の隙間ｇにより、ライト部４の光源部４０は、台部２の下側面２２からの押圧力からも保護され、コーティング層の割れ、摺れ等が生じ難く、所定の光強度等を維持することができる。
【００４２】
以上、実施例に係る電気スタンドの作用効果を纏めると、次の通りである。
展開状態時
１．  台部２、スタンド部３及びライト部４により、コの字状に展開可能な電気スタンドであるから、ライト部４からの光の放射によりコの字に囲まれた、シンプルな照射空間５が形成される。
２．  この照射空間５にノート型パソコンのディスプレイを配置することで、ノート型パソコンにマッチさせることができるし、ノート型パソコンの側面に台部２を配置した場合であっても、ノート型パソコンにマッチさせることができる。
３．  ライト部４は、スタンド部３の延在部３０Ｂに対して上下方向に回転可能に構成されているので、上方向に回転させて、電気スタンド周辺の照射空間５を拡大することができる。さらに、スタンド部３を台部２に向けて回転させて、照射空間５をよりいっそう拡大することができる。
折畳状態時
４．  略箱状に折畳まれるので、電気スタンド１としての容積を最小限にすることができ、電気スタンドして使用しない時に、そのスペースを最小限にすることで場所が取られることはない。  
５．  台部２の下側面２２が、ライト部４の光源部４０に対するカバーとなっているので、携帯移動中においても、光源部４０に直接的な外力が加えられることがなく、光源部４０のコーティング層等の各構成要素を保護することができる。
６．  台部２の下側面２２とライト部４の光源部４０間には隙間ｇが形成されており、そのため、台部２の下側面２２からの押圧力によるコーティング層の擦れ、割れ等を防ぐことができる。
７．  ライト部４とスタンド部３の内側にスイッチ等の電気装置を取り付けた台部２が収納されるので、外部の衝撃から電気装置を保護する事ができる。
８．  折畳まれた状態が略箱状となっていて、携帯移動中に台部２、スタンド部３及びライト部４の各部に捻じれが生じ難く、携帯に適した構造となっている。
９．  配線は、配線溝３９及びカバー等により携帯移動中でもは保護される。
１０．  災害時には非常用ライトとして使用することもできる。
展開状態から折畳状態へ
１１．  コの字状に展開される状態から、スタンド部３に向けて、台部２及びライト部４を順次折畳む折畳手順は容易である。
折畳状態から展開状態へ
１２．  折畳状態からライト部４及び台部２を順次展開させる展開手順も容易である。
【００４３】
本発明は以上説明した実施例に限定されるものではなく、多くの変形が本発明の技術的思想内で当分野において、通常の知識を有する者により可能である。
【符号の説明】
【００４４】
１  電気スタンド
２  台部                              ２０  台部の一端
２１、２２  上下側面                  ２３、２４  左右側面
２５、２６  端部                      ２７  傾斜面
２８  軸部
３  スタンド部                        ３０  スタンド部の一端
３０Ａ  本体
３１  外側面                          ３２  内側面
３３、３４  左右側面
３５、３６  端部                      ３７  傾斜面
３８  軸部                            ３９  配線溝（カバー）
３０Ｂ  延在部
３８Ｂ  軸部
３９Ａ  配線溝
４  ライト部                          ４０  光源部
４１、４２  上下側面                  ４３、４４  左右側面
４５  面発光体
４７  配線溝（カバー）
５  照射空間          ６  スイッチ          ７  ＵＳＢ端子
【図１】
2014235888.tif 000003
【図２】
2014235888.tif 000004
【図３】
2014235888.tif 000005
【図４】
2014235888.tif 000006
【図５】
2014235888.tif 000007
【図６】
2014235888.tif 000008